(57)【要約】【課題】簡易な回路構成で違法行為を防止するスロットマシンを提供する。【解決手段】検出センサＳＥの出力信号ＳＮに基づいて払出個数を把握しつつ、必要な払出個数に達するまで払出信号を出力する主制御部５０と、払出信号ＰＡＹに基づいて回転して有価物を払出す払出モータＭＯとを有して構成された遊技機である。検出センサＳＥの出力信号ＳＮに対応した電流が流通する検出抵抗Ｒａと、検出抵抗Ｒａに直列接続される負荷抵抗Ｒｂと、検出抵抗Ｒａと負荷抵抗Ｒｂの接続点の電圧を受けて二値信号を出力する異常検出回路８０と、を設け、異常検出回路の出力は、検出抵抗Ｒａを経由した電圧を受けると正常レベルとなる一方、検出抵抗Ｒａを経由しない電圧を受けると異常レベルとなるよう構成する。【選択図】図７
2011173023.tif 000002
【特許請求の範囲】
【請求項１】
検出センサの出力信号に基づいて払出個数を把握しつつ、必要な払出個数に達するまで払出信号を出力する制御部と、前記払出信号に基づいて回転して有価物を払出す払出モータとを有して構成された遊技機であって、
前記検出センサの出力信号に対応した電流が流通する検出抵抗と、
前記検出抵抗に接続された負荷抵抗と、
前記検出抵抗と前記負荷抵抗の接続点の電圧を受けて二値信号を出力する異常検出回路と、を設け、
前記異常検出回路の出力は、前記検出抵抗を経由した電圧を受けると正常レベルとなる一方、前記検出抵抗を経由しない電圧を受けると異常レベルとなるよう構成されたことを特徴とする遊技機。
【請求項２】
前記二値信号が異常レベルである場合には、前記払出信号の伝送が阻止されることで、前記払出モータの回転が禁止されるよう構成された請求項１に記載の遊技機。
【請求項３】
前記払出モータは、駆動電圧を受ける限り回転を維持し、
前記制御部は、必要な払出個数に達するまで、前記払出信号を継続して出力するよう構成された請求項１又は２に記載の遊技機。
【請求項４】
前記二値信号及び前記払出信号を受ける論理回路と、前記論理回路の出力を受けてＯＮ／ＯＦＦ動作するスイッチ回路と、前記スイッチ回路のＯＮ動作に対応して前記払出モータを回転させる駆動回路とを設け、
前記論理回路は、前記二値信号が異常レベルである場合には、前記スイッチ回路をＯＦＦ動作させる禁止信号を出力するよう構成された請求項１〜３の何れかに記載の遊技機。
【請求項５】
前記負荷抵抗の両端電圧に対応してＯＮ／ＯＦＦ動作をする払出検出回路を設けた請求項１〜４の何れかに記載の遊技機。
【請求項６】
前記払出検出回路のＯＮ／ＯＦＦ遷移回数に基づいて、前記払出個数が把握される請求項５に記載の遊技機。
【請求項７】
払出モータの回転駆動が停止されるとＯＮ動作する制動回路を設け、
前記制動回路のＯＮ動作によって、払出モータからの発電を吸収するよう構成された請求項１〜６の何れかに記載の遊技機。
【請求項８】
前記検出センサの出力信号は、前記有価物の払出を検出するとＯＦＦ動作するスイッチ素子から出力される請求項１〜７の何れかに記載の遊技機。
【発明の詳細な説明】
【技術分野】
【０００１】
本発明は、コンピュータ装置を内蔵する電子遊技機に関し、特に、遊技媒体としてメダル又は遊技球を用いる回胴遊技機や弾球遊技機に好適に適用される。
【背景技術】
【０００２】
スロットマシンなどの回胴遊技機では、遊技者がメダル投入口にメダルを投入してスタートレバーを操作すると、これに応じて、回転リールの回転が開始される。そして、遊技者がストップボタンを押して回転リールを停止させたとき、停止ライン上の図柄が揃うと、その図柄に応じた配当メダルが払い出されるようになっている。但し、各ゲームの当否状態は、実際には、機器内部の抽選処理によって各ゲームの開始時に予め決まっており、この抽選処理によって当選した図柄を、遊技者が停止ライン上に揃えることで配当メダルが払出される。
【０００３】
この配当メダルは、各スロットマシン内部に配置されたメダルホッパーに予め貯留されている。そして、払出モータＭＯが回転してメダルを払出し、払出検出センサが必要個数の払出枚数を確認すると払出動作が終了するようになっている。
【０００４】
払出モータＭＯは、例えば、ＤＣ２４Ｖの電圧で回転する直流モータで構成されている。そして、メダル払出信号ＰＡＹを受けるフォトカプラを設け、メダル払出信号ＰＡＹがＬレベルになると、フォトカプラの出力側のトランジスタがＯＮ動作して、直流モータの電流駆動回路が形成されるよう構成されている。
【０００５】
また、払出枚数は、フォトインタラプラなどのセンサが、メダルの通過を検出した回数で把握されている。具体的には、センサからの検出信号が変化する毎に、払出枚数がカウントされており、必要個数の払出枚数が確認されるまでは、直流モータが回り続けるよう構成されている。
【発明の概要】
【発明が解決しようとする課題】
【０００６】
そのため、例えば、センサからの出力信号を、意図的に固定状態に維持すると、直流モータが正常に回転してメダルが払出されているにも拘わらず、その払出枚数を把握できないことになり、違法な払出動作が継続されることになる。
【０００７】
例えば、メダル検出時にＯＮ動作する検出センサ（図１５（ａ）参照）を使用している場合には、出力信号線ＯＴを断線状態にするだけで、メダル非検出状態が継続されることになり、比較的容易に違法行為が可能となる。
【０００８】
なお、防犯対策として、メダル検出時にＯＦＦ動作する検出センサ（図１５（ｂ）参照）を使用することはできるが、この場合でも、出力信号線ＯＴをグランドラインに短絡させると、メダル非検出状態が継続されることになり、違法なメダル払出が可能となる。
【０００９】
ここで、複雑な構成を採ることなく、確実に違法行為を検出し、違法行為を検出した場合には、即座に払出動作を停止して、慣性力によるメダルの払出も含め、異常動作を防止する構成が望まれるところである。
【００１０】
本発明は、上記の問題点に鑑みてなされたものであって、簡易な回路構成でありながら違法行為を防止できる遊技機を提供することを目的とする。また、適切な制動動作を実現
すると共に、異常動作を回避する遊技機を提供することを目的とする。
【課題を解決するための手段】
【００１１】
上記の目的を達成するため、本発明は、検出センサの出力信号に基づいて払出個数を把握しつつ、必要な払出個数に達するまで払出信号を出力する制御部と、前記払出信号に基づいて回転して有価物を払出す払出モータとを有して構成された遊技機であって、前記検出センサの出力信号に対応した電流が流通する検出抵抗と、前記検出抵抗に接続された負荷抵抗と、前記検出抵抗と前記負荷抵抗の接続点の電圧を受けて二値信号を出力する異常検出回路と、を設け、前記異常検出回路の出力は、前記検出抵抗を経由した電圧を受けると正常レベルとなる一方、前記検出抵抗を経由しない電圧を受けると異常レベルとなるよう構成される。
【００１２】
本発明において、前記二値信号が異常レベルである場合には、前記払出信号の伝送が阻止されることで、前記払出モータの回転が禁止されるよう構成するのが好適である。また、前記払出モータは、駆動電圧を受ける限り回転を維持し、前記制御部は、必要な払出個数に達するまで、前記払出信号を継続して出力するよう構成されるのが簡易的である。
【００１３】
好ましくは、前記二値信号及び前記払出信号を受ける論理回路と、前記論理回路の出力を受けてＯＮ／ＯＦＦ動作するスイッチ回路と、前記スイッチ回路のＯＮ動作に対応して前記払出モータを回転させる駆動回路とを設け、前記論理回路は、前記二値信号が異常レベルである場合には、前記スイッチ回路をＯＦＦ動作させる禁止信号を出力するよう構成するべきである。
【００１４】
また、前記負荷抵抗の両端電圧に対応してＯＮ／ＯＦＦ動作をする払出検出回路を設けると容易に払出動作を把握することができる。ここで、前記払出検出回路のＯＮ／ＯＦＦ遷移回数に基づいて、前記払出個数が把握するのが好適である。
【００１５】
本発明は、払出モータの回転駆動が停止されるとＯＮ動作する制動回路を設け、前記制動回路のＯＮ動作によって、払出モータからの発電を吸収するよう構成するのが好適であり、この場合には、慣性力による払出が有効に防止される。
【００１６】
前記検出センサの出力信号は、前記有価物の払出を検出するとＯＦＦ動作するスイッチ素子から出力されるべきであり、この場合には防犯対策が容易である。
【発明の効果】
【００１７】
上記した本発明によれば、機器異常時や違法行為時にも適切に動作する遊技機を実現することができる。
【図面の簡単な説明】
【００１８】
【図１】実施例に係るスロットマシンの正面図である。
【図２】図１のスロットマシンの右側面図（ａ）と平面図（ｂ）である。
【図３】スロットマシンの前面パネルを背面から図示した図面である。
【図４】スロットマシンの本体ケースの内部正面図である。
【図５】図１のスロットマシンの回路構成を示すブロック図である。
【図６】主制御基板とメダル払出制御基板との接続関係を示すブロック図である。
【図７】メダル払出制御基板の回路構成を示す回路図である。
【図８】主制御基板におけるメダル払出動作を説明するフローチャートである。
【図９】メダル検出時のメダル払出制御基板の回路動作を説明する図面である。
【図１０】メダル非検出時のメダル払出制御基板の回路動作を説明する図面である。
【図１１】違法行為時のメダル払出制御基板の回路動作を説明する図面である。
【図１２】払出停止時のメダル払出制御基板の回路動作を説明する図面である。
【図１３】メダル払出制御基板の別の回路構成を示す回路図である。
【図１４】メダル払出制御基板の更に別の回路構成を示す回路図である。
【図１５】従来技術の問題点を説明する図面である。
【発明を実施するための形態】
【００１９】
以下、実施例に基づいて本発明を更に詳細に説明する。図１〜図４は、実施例に係るスロットマシンＳＬを図示したものである。本スロットマシンＳＬは、矩形箱状の本体ケース１と、各種の遊技部材を装着した前面パネル２とが、ヒンジ３を介して連結され、前面パネル２が本体ケース１に対して開閉可能に構成されている（図２）。そして、図１は前面パネル２の正面図、図２はスロットマシンＳＬの右側面図（ａ）と平面図（ｂ）、図３は前面パネル２の背面図、図４は本体ケース１の内部正面図を示している。
【００２０】
図４に示す通り、本体ケース１の略中央には、３つの回転リール４ａ〜４ｃを備える図柄回転ユニット４が配置され、その下側に、メダル払出装置５が配置されている。各回転リール４ａ〜４ｃには、ＢＢ図柄、ＲＢ図柄、各種のフルーツ図柄、及びリプレイ図柄などが描かれている。メダル払出装置５には、メダルを貯留するメダルホッパー５ａと、払
出モータＭＯと、メダル払出制御基板５５と、払出中継基板６３と、メダル検出センサＳＥ（図５）などが設けられている。ここで、メダルは、払出モータＭＯの回転に基づいて、払出口５ｂから図面手前に向けて導出される。なお、限界量を越えて貯留されたメダルは、オーバーフロー部５ｃを通して、補助タンク６に落下するよう構成されている。
【００２１】
上記のメダル払出装置５に隣接して電源基板６２が配置され、また、図柄回転ユニット４の上部に主制御基板５０が配置され、主制御基板５０に隣接して回胴設定基板５４が配置されている。なお、図柄回転ユニット４の内部には、回胴ＬＥＤ中継基板５８と回胴中継基板５７とが設けられ、図柄回転ユニット４に隣接して外部集中端子板５６が配置されている。
【００２２】
図１に示すように、前面パネル２の上部には液晶表示ユニット７が配置され、その下部には、回転リール４ａ〜４ｃに対応する３つの表示窓８ａ〜８ｃが配置されている。表示窓８ａ〜８ｃを通して、各回転リール４ａ〜４ｃの回転方向に、各々３個程度の図柄が見えるようになっており、合計９個の図柄の水平方向の三本と、対角線方向の二本が仮想的な停止ラインとなる。このような表示窓８ａの左側には、遊技状態を示すＬＥＤ群９が設けられ、その下方には、遊技成果として払出されるメダル数を表示する払出表示部１０や、クレジット状態のメダル数を表示する貯留数表示部１１が設けられている。
【００２３】
前面パネル２の垂直方向中央には、メダルを投入するメダル投入口１２が設けられ、これに隣接して、メダル投入口１２に詰まったメダルを返却させるための返却ボタン１３が設けられている。また、クレジット状態のメダルを払出すクレジット精算ボタン１４と、メダル投入口１２へのメダル投入に代えてクレジット状態のメダルを擬似的に一枚投入する投入ボタン１５と、クレジット状態のメダルを擬似的に三枚投入するマックス投入ボタン１６とが設けられている。
【００２４】
これらの遊技部材の下方には、回転リール４ａ〜４ｃの回転を開始させるスタートレバー１７と、回転中の回転リール４ａ〜４ｃを停止させるためのストップボタン１８ａ〜１８ｃが設けられている。その他、前面パネル２の下方には、メダルを蓄える横長の受け皿１９と、払出装置５の払出口５ｂに連通するメダル導出口２０とが設けられている。なお、メダル導出口２０の左右にはスピーカＳＰが配置されている。
【００２５】
図３に示すように、前面パネル３の裏側には、メダル投入口１２に投入されたメダルの選別を行うメダル選別装置２１と、メダル選別装置２１により不適正と判別されたメダルをメダル導出口２０に案内する返却通路２２とが設けられている。また、前面パネル３の裏側上部には、演出制御基板５１、演出インタフェイス基板５２、及び液晶制御基板６１などを収容する基板ケース２３が配置されている。そして、メダル選別装置２１の上部には、図１に示す各種の遊技部材と主制御基板５０との間の信号を中継する遊技中継基板５３が設けられている。
【００２６】
図５は、実施例に係るスロットマシンＳＬの回路構成を示すブロック図である。図示の通り、このスロットマシンＳＬは、回転リール４ａ〜４ｃを含む各種の遊技部材の動作を制御する主制御基板５０と、主制御基板５０から受けた制御コマンドに基づいて演出動作を実現する演出制御基板５１と、交流電圧（２４Ｖ）を直流電圧（５Ｖ，１２Ｖ，２４Ｖ）に変換して装置各部に供給する電源基板６２とを中心に構成されている。
【００２７】
主制御基板５０は、演出制御基板５１に対して、スピーカＳＰによる音声演出、ＬＥＤランプや冷陰極線管放電管によるランプ演出、及び、液晶表示ユニット７による図柄演出を実現するための制御コマンドを出力している。そして、演出制御基板５１は、演出インタフェイス基板５２を通して、液晶制御基板６１に接続されており、液晶制御基板６１は
、液晶表示（ＬＣＤ）ユニット７における図柄演出を実現している。
【００２８】
演出制御基板５１は、演出インタフェイス基板５２と共に、ＬＥＤ基板５９やインバータ基板６０や回胴ＬＥＤドライブ基板５８を経由して、各種のＬＥＤや冷陰極線管放電管におけるランプ演出を実現している。また、演出制御基板５１は、演出インタフェイス基板５２を通してスピーカＳＰを駆動して音声演出を実現している。
【００２９】
主制御基板５０は、遊技中継基板５３を通して、スロットマシンの各種遊技部材に接続されている。具体的には、スタートレバー１７の始動スイッチ、ストップボタン１８ａ〜１８ｃの停止スイッチ、投入ボタン１５，１６の投入スイッチ、清算ボタン１４の清算スイッチ、投入枚数判定部２１ｄを構成するフォトインタラプタＰＨ１，ＰＨ２、投入メダル返却部２１ｃを構成するブロッカーソレノイド３１、及び、各種ＬＥＤ素子９〜１１などに接続されている。
【００３０】
また、主制御基板５０は、回胴中継基板５７を経由して、回転リール４ａ〜４ｃを回転させる３つのステッピングモータ、及び、回転リール４ａ〜４ｃの基準位置を検出するためのインデックスセンサに接続されている。そして、ステッピングモータを駆動又は停止させることによって、回転リール４ａ〜４ｃの回転動作と、目的位置での停止動作を実現している。
【００３１】
主制御基板５０は、払出中継基板６３を通してメダル払出装置５にも接続されている。メダル払出装置５には、メダル払出制御基板５５と、メダル検出センサＳＥと、払出モータＭＯとが設けられており、メダル払出制御基板５５は、主制御基板５０からのメダル払出信号ＰＡＹに基づいて払出モータＭＯを回転させて、所定量のメダルを払出している。なお、払出モータＭＯは、ブラシモータなどのＤＣモータであり、ＤＣ２４Ｖを受けている限り回転を継続する。
【００３２】
その他、主制御基板５０は、外部集中端子板５６と、回胴設定基板５４にも接続されている。外部集中端子板５６は、例えばホールコンピュータＨＣに接続されており、主制御基板５０は、外部集中端子板５６を通して、メダルの投入枚数やメダルの払出枚数などを出力している。また、回胴設定基板５４は、係員が設定した確率的なメダル払出枚数のランク設定値を示す設定キー信号などを出力している。
【００３３】
図６（ａ）（ｂ）は、主制御基板５０と、払出中継基板６３と、メダル払出制御基板５５と、メダル検出センサＳＥとの接続関係を図示した概略図である。図示の通り、メダル払出制御基板５５は、払出中継基板６３を経由して、主制御基板５０から、メダル払出信号ＰＡＹと、電源電圧Ｖｃｃ（ＤＣ５Ｖ）と、駆動電圧（ＤＣ２４Ｖ）とを受けている。そして、メダル払出制御基板５５では、メダル払出信号ＰＡＹがＬレベルであることを条件に、接続コネクタＣＮ６に接続された払出モータＭＯを回転させている。なお、接続コネクタＣＮ３，ＣＮ４において、メダル払出信号ＰＡＹの隣に、ＤＣ５Ｖが配置されており、グランドラインＧＮＤは配置されていない。
【００３４】
一方、メダル払出制御基板５５は、主制御基板５０から受けた電源電圧Ｖｃｃを、接続コネクタＣＮ５を経由してメダル検出センサＳＥに供給すると共に、メダル検出センサＳＥから出力されるセンサ信号を、払出中継基板６３を経由して主制御基板５０に伝送している。ここで、メダル検出センサＳＥは、発光部ＴＲと、受光部ＲＶとで構成され、発光部ＴＲと受光部ＲＶとの間を通過するメダルを検出している。
【００３５】
発光部ＴＲは、電源電圧Ｖｃｃを受けて検査光を発光する発光ダイオードＤｒと、電流制限抗Ｒｒとで構成され（図６（ｂ）参照）、受光部ＲＶは、検査光を受けるフォトダイ
オードＤｆと、フォトダイオードＤｆの出力を増幅するシュミットトリガと、オープンコレクタ型の出力トランジスタＱ７とで構成されている。そして、メダルが通過しない定常状態（メダル非検出時）では、出力トランジスタＱ７がＯＮ状態であるが、メダルが検査光を遮蔽するメダル検出時には、出力トランジスタＱ７がＯＦＦ状態となる。
【００３６】
図６（ｂ）に示す通り、出力トランジスタＱ７のコレクタ端子は、メダル払出制御基板５５に配置された検出抵抗Ｒａを経由して、主制御基板５０の負荷抵抗Ｒｂに接続されている。したがって、メダル非検出時には、電源電圧Ｖｃｃが、負荷抵抗Ｒｂと検出抵抗Ｒａとで分圧され、Ｖｃｃ＊Ｒａ／（Ｒａ＋Ｒｂ）のセンサ出力信号ＳＮが、主制御基板５０に伝送される。一方、メダル検出時には、センサ出力信号ＳＮが、ほぼＶｃｃ（＝５Ｖ）となる。
【００３７】
主制御基板５０には、ＰチャンネルＭＯＳトランジスタＱ１と、ゲート抵抗Ｒｃと、ドレイン抵抗Ｒｄと、で構成されたインバータ回路ＩＮＶが配置されている。図示の通り、トランジスタＱ１のゲート端子Ｇに接続されたゲート抵抗Ｒｃには、センサ出力信号ＳＮが供給され、トランジスタＱ１のソース端子Ｓには、電源電圧Ｖｃｃが供給されている。また、トランジスタＱ１のドレイン端子Ｄとグランド間にドレイン抵抗Ｒｄが接続されている。
【００３８】
先に説明した通り、メダル非検出時は、出力トランジスタＱ７がＯＮ状態であるので、負荷抵抗Ｒｂには電流Ｖｃｃ／（Ｒａ＋Ｒｂ）が流れ、トランジスタＱ１がＯＮ状態となるので、ドレイン抵抗Ｒｄから、Ｈレベルのメダル検出信号ＤＥＴが出力される。一方、メダル検出時には、出力トランジスタＱ７がＯＦＦ状態に遷移するので、負荷抵抗Ｒｂの電流が途絶えることで、トランジスタＱ１がＯＦＦ状態となり、ドレイン抵抗ＲｄからＬレベルのメダル検出信号ＤＥＴが出力される。
【００３９】
したがって、主制御基板５０では、メダル検出信号ＤＥＴが、ＨレベルからＬレベルに立下がることに基づいて、メダルの払出動作を確認することになる。例えば、Ｎ枚のメダルの払出動作は、メダル検出信号ＤＥＴが、Ｎ回、Ｌレベルに立下ったことを確認して終了される。そのため、払出動作が開始された後、メダル検出信号ＤＥＴがＨレベルのままで、Ｌレベルに立下がらない場合には、払出動作が終了しないことになり、この待機動作を悪用した違法行為を懸念されるが、本実施例では、後述する対策によって、違法なメダル払出を確実に阻止している。
【００４０】
図７は、メダル払出制御基板５５の回路構成を具体的に図示したものである。メダル払出制御基板５５には、ＭＯＳトランジスタＱ２による異常検出回路８０と、フォトカプラＰＣによる信号伝送回路８１と、バイポーラトランジスタＱ３，Ｑ４による電流制限回路８２と、ＭＯＳトランジスタＱ５による駆動制御回路８３と、ＭＯＳトランジスタＱ６による制動回路８４と、が設けられている。
【００４１】
主制御基板５０から供給される駆動電圧ＤＣ２４Ｖは、ポリスイッチＲＴを経由して払出モータＭＯに伝送されており、主制御基板５０の出力トランジスタＱ０がＯＮ状態であって、且つ、異常検出回路８０が異常を検出しない限り、払出モータＭＯが回転するよう構成されている。
【００４２】
ポリスイッチＲＴは、ポリマー系のＰＴＣ（Positive Temperature Coefficient）サーミスタであり、素子温度が所定値より上昇すると、正常状態では１Ω以下の抵抗値が、急激に増加して１０４Ω〜１０６Ω程度になる特性を有している。例えば、払出モータＭＯの配線の短絡などによって過大電流が流れる場合には、ポリスイッチＲＴの抵抗値によって、ＤＣ２４Ｖの電源ラインが開放状態となる。
【００４３】
異常検出回路８０は、メダル検出センサＳＥに接続された検出抵抗Ｒａと、主制御基板５０に伝送されるセンサ出力信号ＳＮが異常レベルか否かを判定するＮチャンネルＭＯＳトランジスタＱ２と、トランジスタＱ２による異常検出時にＨレベルを出力するＯＲゲートＧ１と、ＯＲゲートＧ１の出力を反転させるＮＯＴゲートＧ２を中心に構成されている。
【００４４】
トランジスタＱ２のドレイン端子には、抵抗Ｒ１を通して電源電圧Ｖｃｃが供給され、ゲート端子には、抵抗Ｒ２を通して、センサ出力信号ＳＮが供給されている。また、トランジスタＱ２のソース端子は、グランドラインに接続されている。
【００４５】
ＯＲゲートＧ１の一方側の入力端子は、トランジスタＱ２のドレイン端子に接続されている。また、ＯＲゲートＧ１の他方側の入力端子は、プルアップ抵抗Ｒｐでプルアップされると共に、主制御基板５０の出力トランジスタＱ０のコレクタ端子に接続されている。そして、出力トランジスタＱ０は、ＯＮ動作することで、Ｌレベルのメダル払出信号ＰＡＹを出力している。
【００４６】
信号伝送回路８１は、ＮＯＴゲートＧ２の出力を受けるＮチャンネルＭＯＳトランジスタＱ８と、トランジスタＱ８のドレイン端子に接続される電流制限抵抗Ｒ３と、フォトカプラＰＣとで構成されている。トランジスタＱ８は、そのソース端子がグランドに接続され、そのゲート端子にＨレベルの信号を受けるとＯＮ動作するよう構成されている。なお、トランジスタＱ２による異常検出時には、ＯＲゲートＧ１がＨレベルを出力し、ＮＯＴゲートＧ２の出力がＬレベルとなるので、トランジスタＱ８はＯＦＦ状態になる。
【００４７】
フォトカプラＰＣの発光ダイオードＤｐは、電源電圧Ｖｃｃと電流制限抵抗Ｒ３との間に配置され、ＮＯＴゲートＧ２の出力がＨレベルの場合には、順方向電流が流れて発光するよう構成されている。そして、発光ダイオードＤｐが発光すると、フォトカプラＰＣのフォトトランジスタＴｒがＯＮ動作する。図示の通り、フォトトランジスタＴｒのコレクタ端子には、駆動電圧ＤＣ２４Ｖが供給され、エミッタ端子は、電流制限回路８２に接続されている。
【００４８】
電流制限回路８２は、ＰＮＰ型トランジスタＱ３と、コレクタ抵抗Ｒ４、バイアス抵抗Ｒ１０と、払出モータＭＯの電流検出抵抗Ｒ１３と、バイアス抵抗Ｒ５と、コンデンサＣ１と、ＮＰＮ型トランジスタＱ４と、電流制限抵抗Ｒ８と、逆方向電流阻止用のダイオードＤ２とで構成されている。
【００４９】
トランジスタＱ３のエミッタ端子は、フォトカプラＰＣのトランジスタＴｒのエミッタ端子と、電流制限抵抗Ｒ８とに接続されている。そして、トランジスタＱ３のエミッタ端子とベース端子の間には、電流制限抵抗Ｒ８とダイオードＤ２とが直列接続され、ダイオードＤ２のカソード端子が、トランジスタＱ３のベース端子に接続されている。また、ダイオードＤ２のカソード端子は、トランジスタＱ４のコレクタ端子に接続され、そのエミッタ端子はグランドに接続されている。トランジスタＱ４のベース端子は、並列接続されたコンデンサＣ１及び抵抗Ｒ５を通して、グランドに接続されている。
【００５０】
また、トランジスタＱ４のベース端子は、抵抗Ｒ１０を通して、ＮチャンネルＭＯＳトランジスタＱ５のソース端子に接続されている。ＮチャンネルＭＯＳトランジスタＱ５のソース端子とグランドとの間に、抵抗Ｒ１３が接続されて、払出モータＭＯの駆動電流を監視している。なお、電流検出抵抗Ｒ１３は、０．５１Ω程度である。
【００５１】
駆動制御回路８３は、ＮチャンネルＭＯＳトランジスタＱ５と、バイアス抵抗Ｒ９と、
コンデンサＣ３とで構成されている。ここで、ＭＯＳトランジスタＱ５のドレイン端子は、払出モータＭＯの（−）端子に接続されている。そして、ベース端子とソース端子との間には、並列接続された抵抗Ｒ９及びコンデンサＣ３が接続されている。
【００５２】
制動回路８４は、ＰチャンネルＭＯＳトランジスタＱ６と、分圧用のバイアス抵抗Ｒ１１，Ｒ１２，Ｒ６，Ｒ７と、コンデンサＣ２と、逆方向電流阻止用のダイオードＤ１とで構成されている。ＰチャンネルＭＯＳトランジスタＱ６のソース端子とドレイン端子は、各々、払出モータＭＯの（＋）端子と（−）端子に接続されている。したがって、ＰチャンネルＭＯＳトランジスタＱ６がＯＮ動作すると払出モータＭＯの駆動が禁止されることになる。
【００５３】
一方、ＭＯＳトランジスタＱ６のソース端子とゲート端子間には抵抗Ｒ１１が接続され、ゲート端子とグラントとの間には、バイアス抵抗Ｒ１２，Ｒ６，Ｒ７が直列接続されている。そして、抵抗Ｒ１２と抵抗Ｒ６の接続点には、ダイオードＤ１のカソード端子が接続されている。一方、ダイオードＤ１のアノード端子は、フォトカプラＰＣのトランジスタＴｒのエミッタ端子と、抵抗Ｒ８とに接続されている。
【００５４】
続いて、主制御基板５０において実行されるメダル払出処理について、図８のフローチャートに基づいて説明する。先ず、遊技者に払出すべきメダル払出枚数が０か否か判定され（ＳＴ１０）、メダル払出枚数≠０であれば、クレジット数が上限値（例えば５０枚）に達するまでは、クレジット数を増加させることで払出処理を実行する（ＳＴ１１〜ＳＴ１３）。
【００５５】
一方、このようにしてクレジット数が上限値に達するか、或いは、もともと上限値に達している場合には、メダル払出信号ＰＡＹをＯＮレベル（Ｌレベル）にする（ＳＴ１５）。具体的には、主制御基板５０の出力トランジスタＱ０をＯＮ動作させて、ＯＲゲートＧ１、ＮＯＴゲートＧ２、及びトランジスタＱ８を通して、メダル払出制御基板５５のフォトカプラＰＣをＯＮ動作させる。この結果、払出モータＭＯが回転を開始してメダルの払出が開始される。
【００５６】
そこで、次に、メダル検出センサＳＥ（図５）がメダル払出を検出したか否か判定される（ＳＴ１６）。具体的には、メダル検出信号ＤＥＴがＨレベルからＬレベルに立下がるのを所定時間（例えば２．５秒）待機する（ＳＴ１８）。そして、メダル検出信号ＤＥＴがＬレベルに立下がることでメダルの払出が検出されれば、払出枚数を減算し（ＳＴ１７）、残余払出枚数が０になるまで同じ動作を繰返す。一方、所定の待機時間を超えても、メダル検出センサＳＥがメダルの払出を検出しない場合は、通常は、メダルホッパー５ａが空であると思われるので、その旨の異常報知処理を実行する（ＳＴ１９）。そして、ドアセンサの開閉が検出されたら、係員による補給処理が完了したと想定して、エラー報知処理を解除してステップＳＴ１５の処理に戻る。
【００５７】
このような処理を繰返していると、やがて、残余払出枚数が０になるので（ＳＴ１３）、メダル払出信号ＰＡＹをＯＦＦ状態（Ｈレベル）にして処理を終える（ＳＴ１４）。具体的には、主制御基板５０の出力トランジスタＱ０をＯＦＦ動作させ、メダル払出制御基板５５のフォトカプラＰＣをＯＦＦ動作させる。この結果、払出モータＭＯの回転が停止される。
【００５８】
＜定常動作時＞
続いて、メダル払出動作に関して、払出モータＭＯが回転していない定常動作時について確認的に説明する。払出モータＭＯが回転しない定常動作時には、主制御基板５０の出力トランジスタＱ０は、ＯＦＦ状態である。そして、メダル払出制御基板５５のＯＲゲー
トＧ１の入力端子は、抵抗Ｒｐによってプルアップされているので、ＯＲゲートＧ１の入力端子はＨレベルとなる。
【００５９】
そのため、ＮＯＴゲートＧ２の出力はＬレベルであり、トランジスタＱ８がＯＦＦ状態となり、フォトカプラＰＣはＯＦＦ状態を維持するので、駆動制御回路８３のトランジスタＱ５はＯＦＦ状態であり、払出モータＭＯの停止状態が維持される。
【００６０】
＜払出動作時（図９〜図１０）＞
その後、主制御基板５０の出力トランジスタＱ０がＯＮ状態に変化すると、これに対応してメダル払出信号ＰＡＹがＬレベルとなる。この時、本実施例では、異常検出回路８０が異常状態を検出しない限り、トランジスタＱ２の出力はＬレベルである。したがって、ＮＯＴゲートＧ２の出力は、メダル検出センサＳＥによるメダル検出の有無に拘わらずＨレベルとなる（図９及び図１０参照）。
【００６１】
そのため（以下、図９参照）、電源電圧Ｖｃｃ（ＤＣ５Ｖ）→フォトカプラＰＣの発光ダイオードＤｐ→抵抗Ｒ３→トランジスタＱ８の経路でＯＮ電流が流れ、フォトカプラＰＣはＯＮ状態となり、フォトカプラＰＣのトランジスタＴｒを通過する直流電流は、ダイオードＤ１→抵抗Ｒ６→抵抗Ｒ７の経路に流れる。
【００６２】
また、トランジスタＴｒを通過する直流電流は、抵抗Ｒ８→抵抗Ｒ９→抵抗Ｒ１３の経路と、抵抗Ｒ８→抵抗Ｒ９→抵抗Ｒ１０→Ｒ５の経路にも流れる。その結果、トランジスタＱ５はＯＮ状態となり、ポリスイッチＲＴ→払出モータＭＯ→トランジスタＱ５の経路でモータ駆動電流が流れ、払出モータＭＯが回転する。
【００６３】
この払出動作時には、電流制限回路８２は、過大なモータ駆動電流が流れることを防止する負帰還回路として機能する。すなわち、図９に示すように、モータ駆動電流は、電流検出抵抗Ｒ１３に流れるので、仮に、モータ駆動電流が大きく増加すると、トランジスタＱ４のベース電位が増加して、抵抗Ｒ８→ダイオードＤ２経路でコレクタ電流が流れる。
【００６４】
すると、トランジスタＱ４とトランジスタＱ３とは、サイリスタ構造を有して接続されているので、トランジスタＱ４のコレクタ電流の増加が、トランジスタＱ３のコレクタ電流の増加をもたらし、抵抗Ｒ５を経由してトランジスタＱ４のコレクタ電流を益々増加させることで、２つのトランジスタＱ３，Ｑ４は、ＯＮ動作に向けた正帰還ループを形成する。
【００６５】
一方、トランジスタＱ４のコレクタ電流が飽和電流に向けて増加すると、ダイオードＤ２のアノード端子の電位が降下するので、トランジスタＱ５をＯＦＦ動作させる向きの負帰還ループが形成される。したがって、トランジスタＱ５の動作に基づいて、過大なモータ駆動電流が流れることが防止され、モータ駆動電流が所定範囲に維持される。
【００６６】
ところで、払出モータＭＯが駆動されているタイミングでは、トランジスタＱ６は、ＯＦＦ状態である。それは、抵抗Ｒ１１→抵抗Ｒ１２→抵抗Ｒ６→抵抗Ｒ７の経路で電流が流れると共に、ダイオードＤ１→抵抗Ｒ６→抵抗Ｒ７の経路でも電流が流れるので、抵抗Ｒ１１と抵抗Ｒ１２の両端電圧が、トランジスタＴｒの飽和電圧ＶＣＥとダイオードの順方向電圧降下ＶＦからＶＣＥ＋ＶＦ≒１Ｖに抑制されるからである。
【００６７】
＜払出動作によるメダル検出時（図９）＞
続いて、上記した払出動作時に、メダル検出センサＳＥがメダルを検出した場合について説明する。図９に示す通り、メダル検出センサＳＥがメダルを検出すると、出力トランジスタＱ７がＯＦＦ状態となるので、センサ出力信号ＳＮは、ほぼＶｃｃとなる。そして
、この状態では、負荷抵抗Ｒｂの両端電圧は、ほぼゼロであるので、トランジスタＱ１はＯＦＦ状態となり、メダル検出信号ＤＥＴがＬレベルとなる。
【００６８】
また、センサ出力信号ＳＮがほぼＶｃｃであることから、トランジスタＱ２もＯＮ状態であり、トランジスタＱ２のドレイン出力もＬレベルである。
【００６９】
先に説明した通り、払出動作時には、主制御基板５０の出力トランジスタＱ０がＯＮ状態であるので、メダル払出信号ＰＡＹもＬレベルである。そのため、ＯＲゲートＧ１の入力端子が共にＬレベルとなり、ＮＯＴゲートＧ２の出力がＨレベルであって、払出モータＭＯは引き続き回転動作を継続する。
【００７０】
＜払出動作時におけるメダル非検出時（図１０）＞
次に、図１０に基づいて、メダル非検出時について説明する。先に説明した通り、メダル検出センサＳＥがメダルの通過を検出しない場合には、出力トランジスタＱ７がＯＮ状態である。そのため、電源電圧Ｖｃｃ→負荷抵抗Ｒｂ→検出抵抗Ｒａ→グランドの経路に、ＯＮ電流Ｖｃｃ／（Ｒａ＋Ｒｂ）が流れ、センサ出力信号ＳＮはＳＮ＝Ｖｃｃ＊Ｒａ／（Ｒａ＋Ｒｂ）となる。本実施例では、このセンサ出力信号ＳＮは、トランジスタＱ２をＯＮ動作させるレベルに設定されているので、ＯＲゲートＧ１の出力はＬレベルとなり、払出モータＭＯが上記と同様に回転を維持する。
【００７１】
＜違法行為時（図１１）＞
次に、主制御基板５０の出力トランジスタＱ０がＯＮ状態である払出動作時に、例えば、主制御基板５０とメダル払出制御基板５５の間の接続コネクタＣＮ１〜ＣＮ４を悪用して、センサ出力信号ＳＮを、グランドレベルに落とした場合を想定する。
【００７２】
このような場合、図１５（ｂ）のような回路構成であると、メダル検出信号ＤＥＴがＨレベルを維持するために、実際に払出されたメダルの枚数に拘わらず、払出モータＭＯが回転を継続する。例えば、図８のステップＳＴ１８における待機時間が、２．５秒である場合には、払出モータＭＯが２．５秒回転して３０枚程度のメダルが払出されることになる。そのため、違法行為者が、例えば２．４秒に一回だけメダル検出信号ＤＥＴを立下げだけで、本来の払出枚数の３０倍程度のメダルが払出されるおそれがある。
【００７３】
しかし、本実施例では、異常検出回路８０が有効に機能して、上記の違法な払出動作を未然に防止する。すなわち、センサ出力信号ＳＮがゼロボルトになると、トランジスタＱ２がＯＦＦ動作することで、ＮＯＴゲートＧ２の出力がＬレベルに変化するので、メダル払出信号ＰＡＹのレベルに拘わらず、フォトカプラＰＣがＯＦＦ状態となって払出モータＭＯの回転を停止する。
【００７４】
＜払出動作の停止時（図１２）＞
最後に、図１２に基づいて、主制御基板５０の出力トランジスタＱ０がＯＦＦ状態となった場合（ＳＴ１３）の動作を説明する。
【００７５】
メダル検出信号ＤＥＴの立下り動作によって、メダル払出動作が正常に完了したことが確認されると、主制御基板５０の出力トランジスタＱ０は、ＯＮ状態からＯＦＦ状態に遷移される。
【００７６】
すると、メダル払出信号ＰＡＹがＨレベルとなって、ＯＲゲートＧ１の出力もＨレベルとなり、フォトカプラＰＣのダイオードＤｐに電流が流れず、フォトカプラＰＣがＯＦＦ状態となって、トランジスタＱ３，Ｑ４，Ｑ５はＯＦＦ状態となる。
【００７７】
一方、抵抗Ｒ１１→抵抗Ｒ１２→抵抗Ｒ６→抵抗Ｒ７→グランドの経路では電流が流れる。ここで、抵抗Ｒ１１の両端電圧は、２４＊Ｒ１１／（Ｒ１１＋Ｒ１２＋Ｒ６＋Ｒ７）≒３Ｖとなるよう設定されているので、トランジスタＱ６のソース端子とゲート端子間の電圧によってトランジスタＱ６はＯＮ状態となる。
【００７８】
このトランジスタＱ６のＯＮ動作は、フォトカプラＰＣのＯＮからＯＦＦへの遷移時に実行されるので、発電機として機能する払出モータＭＯの出力電流がトランジスタＱ６の短絡電流として吸収され、払出モータＭＯの回転にブレーキがかかる。そのため、本実施例の構成によれば、慣性力によるメダルの過払いが防止される。なお、払出モータＭＯが急制動された後は、メダル検出センサＳＥがメダルを検出することはないので、出力トランジスタＱ７はＯＮ状態を維持する。
【００７９】
以上、払出動作を正常に終了した後の停止動作を説明したが、異常検出回路８０が異常事態を検出した場合も、上記と同じ制動停止動作が実行されるのは勿論である。
【００８０】
以上、本発明の実施例について具体的に説明したが、具体的な記載内容は特に本発明を限定する趣旨ではなく、適宜に変更可能である。例えば、先の実施例ではスロットマシンについて説明したが、遊技球の払出処理をＤＣモータで実現する弾球遊技機においては、本発明が好適に適用される。
【００８１】
例えば、上記した実施例では、接続コネクタＣＮ５の部分を悪用されるおそれもある。そこで、図１３のように、センサ基板ＳＥに、発光ダイオードと、発光ダイオードの電流制限抵抗Ｒｒと、フォトトランジスタＱ７と、フォトトランジスタＱ７の電流制限抵抗Ｒｅとを搭載し、電流制限抵抗Ｒｅの出力電圧に基づいて、異常検出回路８０を動作させるのも好適である。なお、図１３の回路では、電流制限抵抗Ｒｅが、図７の検出抵抗Ｒａの役目を兼ねている。
【００８２】
この回路構成でも、フォトトランジスタＱ７は、メダル非検出時にＯＮ動作するので、メダル非検出時には、電源電圧Ｖｃｃ→抵抗Ｒｂ→電流検出抵抗Ｒｅ→フォトトランジスタＱ７の経路で電流が流れ、センサ信号ＳＮは、ＳＮ＝Ｖｃｃ＊Ｒｅ／（Ｒｅ＋Ｒｂ）となって、異常検出回路８０のトランジスタＱ２をＯＮ動作させる。また、メダル検出時には、フォトトランジスタＱ７がＯＦＦ動作して、センサ信号ＳＮはほぼ電源電圧Ｖｃｃとなるため、この場合にも異常検出回路８０のトランジスタＱ２がＯＮ動作する。
【００８３】
一方、違法行為が、接続コネクタＣＮ１〜ＣＮ５の何れかを悪用して、センサ出力ＳＮをグランドレベルに落とした場合には、異常検出回路８０のトランジスタＱ２がＯＦＦ動作することで、払出モータＭＯの回転を急停止させて違法行為を不能にする。
【００８４】
なお、図１３の回路構成に変えて、図１４の回路構成を採ってもよい。但し、この場合には、違法行為者がエミッタ抵抗Ｒｅを短絡させるとフォトトランジスタＱ７が破損する欠点がある。
【符号の説明】
【００８５】
ＳＥ      検出センサ
ＳＮ      出力信号
ＰＡＹ    払出信号
ＭＯ      払出モータ
Ｒａ      検出抵抗
Ｒｂ      負荷抵抗
５０      制御部
８０      異常検出回路
【図１】
2011173023.tif 000003
【図２】
2011173023.tif 000004
【図３】
2011173023.tif 000005
【図４】
2011173023.tif 000006
【図５】
2011173023.tif 000007
【図６】
2011173023.tif 000008
【図７】
2011173023.tif 000009
【図８】
2011173023.tif 000010
【図９】
2011173023.tif 000011
【図１０】
2011173023.tif 000012
【図１１】
2011173023.tif 000013
【図１２】
2011173023.tif 000014
【図１３】
2011173023.tif 000015
【図１４】
2011173023.tif 000016
【図１５】
2011173023.tif 000017
【手続補正書】
【提出日】平成23年6月21日(2011.6.21)
【手続補正１】
【補正対象書類名】特許請求の範囲
【補正対象項目名】全文
【補正方法】変更
【補正の内容】
【特許請求の範囲】
【請求項１】
出力トランジスタをＯＮ動作させて、払出基板の信号伝送回路にＯＮレベルの払出信号を出力する一方、払出基板から受けるセンサ信号が変化することに基づいて有価物の払出個数を把握する動作制御基板と、
ＯＮレベルの払出信号に基づく駆動電流によって回転駆動されて有価物を払出す払出モータと、
有価物が払出されたことを検出して、センサ信号を変化させる検出センサと、を有して構成された遊技機であって、
信号伝送回路は、出力トランジスタのＯＮ動作に対応してＯＮ動作する入力側素子と、入力側素子がＯＮ動作すると払出モータの駆動電圧に基づいてＯＮ動作する出力側素子とを有して構成され、
出力側素子の電流流出端子に、第１と第２のトランジスタを有する電流制限回路が接続され、第１トランジスタのベース端子が第２トランジスタのコレクタ端子に接続される一方、第１トランジスタのコレクタ端子と第２トランジスタのベース端子とが抵抗素子を介して接続され、
第２トランジスタのベース端子の電位が、払出モータの駆動電流に対応して変化するよう構成されていることを特徴とする遊技機。
【請求項２】
払出モータの駆動電流が流れる検出抵抗と、検出抵抗の両端に並列接続される第１と第２のバイアス抵抗の直列回路とを設け、第２トランジスタのベース電位がバイアス抵抗の両端電圧によって変化するよう構成されている請求項１に記載の遊技機。
【請求項３】
第１トランジスタのエミッタ端子とベース端子には、抵抗とダイオードとが直列接続されている請求項１又は２に記載の遊技機。
【手続補正２】
【補正対象書類名】明細書
【補正対象項目名】００１１
【補正方法】変更
【補正の内容】
【００１１】
上記の目的を達成するため、本発明は、出力トランジスタをＯＮ動作させて、払出基板の信号伝送回路にＯＮレベルの払出信号を出力する一方、払出基板から受けるセンサ信号が変化することに基づいて有価物の払出個数を把握する動作制御基板と、ＯＮレベルの払出信号に基づく駆動電流によって回転駆動されて有価物を払出す払出モータと、有価物が払出されたことを検出して、センサ信号を変化させる検出センサと、を有して構成された遊技機であって、信号伝送回路は、出力トランジスタのＯＮ動作に対応してＯＮ動作する入力側素子と、入力側素子がＯＮ動作すると払出モータの駆動電圧に基づいてＯＮ動作する出力側素子とを有して構成され、出力側素子の電流流出端子に、第１と第２のトランジスタを有する電流制限回路が接続され、第１トランジスタのベース端子が第２トランジスタのコレクタ端子に接続される一方、第１トランジスタのコレクタ端子と第２トランジスタのベース端子とが抵抗素子を介して接続され、第２トランジスタのベース端子の電位が、払出モータの駆動電流に対応して変化するよう構成されている。
【手続補正３】
【補正対象書類名】明細書
【補正対象項目名】００１２
【補正方法】削除
【補正の内容】
【手続補正４】
【補正対象書類名】明細書
【補正対象項目名】００１３
【補正方法】削除
【補正の内容】
【手続補正５】
【補正対象書類名】明細書
【補正対象項目名】００１４
【補正方法】削除
【補正の内容】